(57)【要約】【課題】冷蔵室の開閉扉の内側に、送風ファンからの冷気の一部を特定低温室などの貯蔵室に導く専用ダクトを設け、貯蔵室を効率よく冷却するのに充分なダクト容積を確保することができる冷蔵庫を提供する。【解決手段】本体の最上部を冷蔵室７に、下部を野菜室８や冷凍室９などの貯蔵室に割り当て、各部屋に開閉扉を設け、冷蔵室７の後方上部に冷却器１４を設け、冷却器１４の前方に前面カバー１５を設けて冷気生成室１６を形成し、前面カバー１５に形成された冷気吸込口から、冷蔵室７の冷気を冷気生成室に戻す冷気戻し通路１７を形成し、前方に冷気吹出口１８を有し天井との間に冷気生成室１６と連通する冷気供給通路１９を形成する天井カバー２０を被せ、冷気供給通路の所定位置に、送風ファン２１を設けた冷蔵庫において、冷蔵室の開閉扉１１の内側に、送風ファンから送出される冷気の一部を、各貯蔵室に導く専用ダクト２６を少なくとも１つ以上設けた。【選択図】  図１
2004278878.tif 000002
【特許請求の範囲】
【請求項１】
外箱と内箱間に断熱材を充填してなる断熱箱体の内部を仕切体により複数の空間を多段に区画し、最上部の空間を冷蔵室に割り当て、下部の空間を野菜室や冷凍室などの他の貯蔵室に割り当て、各部屋にそれぞれ開閉扉を設け、前記冷蔵室の後方上部に冷却器を設けるとともに、同冷却器の前方に上部を開口した前面カバーを設けて前記冷却器を備えた冷気生成室を形成し、前記前面カバーに形成された冷気吸込口から、前記冷蔵室の冷気を前記冷気生成室に戻す冷気戻し通路を形成し、前記内箱の天井に、前方に冷気吹出口を有し前記天井との間に前記冷気生成室と連通する冷気供給通路を形成する天井カバーを被せるとともに、この天井カバーの取り付けにより形成される前記冷気供給通路の所定位置に、冷気強制循環用の送風ファンを設けてなる冷蔵庫において、
前記冷蔵室の開閉扉の内側に、前記送風ファンから送出される冷気の一部を、前記各貯蔵室に導く専用ダクトを少なくとも１つ以上設けてなることを特徴とする冷蔵庫。
【請求項２】
前記冷蔵室の下部に特定低温室を設け、前記専用ダクトの冷気吹出口を、前記特定低温室の上部に臨ませてなることを特徴とする請求項１記載の冷蔵庫。
【請求項３】
前記専用ダクトを前記特定低温室専用としてなることを特徴とする請求項１または２記載の冷蔵庫。
【請求項４】
前記専用ダクトを前記特定低温室用と前記野菜室用とに兼用されてなることを特徴とする請求項１または２記載の冷蔵庫。
【請求項５】
前記専用ダクトの冷気吹出口からの冷気の一部を、前記特定低温室のケース内に送出し、その冷気を前記特定低温室背面の前記前面カバーに設けられた冷気戻し口より、前記冷気戻し通路に戻してなることを特徴とする請求項１乃至４のいずれかに記載の冷蔵庫。
【請求項６】
前記専用ダクトを前記冷蔵室の開閉扉の略中央に設けてなることを特徴とする請求項１乃至５のいずれかに記載の冷蔵庫。
【請求項７】
前記天井カバーの前記冷気供給通路を前記冷気吹出口に向け仕切り壁により左右に区画するとともに、前記専用ダクトを前記冷蔵室の開閉扉の左右いずれか一方に設けてなることを特徴とする請求項１記載の冷蔵庫。
【請求項８】
前記専用ダクトを前記冷蔵室の開閉扉の左右両側にそれぞれ設けてなることを特徴とする請求項１記載の冷蔵庫。
【請求項９】
前記送風ファンを複数のプロペラファンで構成してなることを特徴とする請求項１、７または８記載の冷蔵庫。
【請求項１０】
前記左右両側に設けた専用ダクトのいずれか一方を、前記特定低温室の専用ダクトとし、他方を前記野菜室の専用ダクトとしてなることを特徴とする請求項１または８記載の冷蔵庫。
【請求項１１】
前記冷蔵室の下部に特定低温室を設け、前記専用ダクトの冷気吹出口を、前記特定低温室の下部に臨ませてなることを特徴とする請求項１記載の冷蔵庫。
【請求項１２】
前記専用ダクトの冷気吹出口からの冷気の一部を、前記特定低温室のケースの下に送出し、その冷気を前記特定低温室背面の前記前面カバーに設けられた冷気戻し口より、前記冷気戻し通路に戻してなることを特徴とする請求項１または１１記載の冷蔵庫。
【発明の詳細な説明】
【０００１】
【発明の属する技術分野】
本発明は冷蔵庫の冷気循環方式に係わり、詳しくは、冷蔵室の開閉扉の内側に、送風ファンからの冷気の一部を特定低温室などの貯蔵室に導く専用ダクトを設けた構造に関する。
【０００２】
【従来の技術】
従来のこの種の冷蔵庫には、図８〜１０に示すようなものが知られている（例えば、特許文献１）。
図において、冷蔵庫本体Ｒ内には、上から順に冷蔵室１００  、特定低温室２００  、野菜室３００  および冷蔵室４００  が配置されている。冷凍室４００  は他の貯蔵室とは別に独立した部屋となっており、専用の熱交換器４０１  と送風機４０２  、製氷器４０３  などを備えている。冷凍室４００  の後方下部にコンプレッサＣが配置されている。
【０００３】
冷蔵庫本体Ｒ内には、内箱４との間でダクト５００  （図示せず）を形成するダクトカバー５０が設けられ、ダクトカバー５０は冷蔵庫本体Ｒの背面側から上面にかけて連続的に形成されている。ダクト５００  は、特定低温室２００  を含む冷蔵室１００  の背面側に位置する背面ダクト部５１０  と、背面ダクト部５１０  の上方から冷蔵室１００  の扉に面する前面側にまで延在する上面ダクト部５３０  とを含み、上面ダクト部５３０  の端部に冷気吹出し口５０１  が形成されている。
ダクト５００  内には、熱交換器１および送風機２が設けられるが、この場合、熱交換器１および送風機２は冷蔵室１００  の背面側上部に設けられている。送風機２にはクロスフローファンが用いられている。
【０００４】
特定低温室２００  および野菜室３００  には送風機２側から下方に延びる専用ダクト４０によって冷気が供給される。野菜室３００  は仕切壁３０３  により低温野菜室３０１  と高温野菜室３０２  とに区画されているため、低温野菜室３０１  用として２本の専用ダクト４１，４２が設けられ、高温野菜室３０２  用として１本の専用ダクト４３が設けられている。各専用ダクト４１〜４３はダクトカバー５０の裏面側に形成されており、送風機２の送風口部分から背面ダクト５１０  内を通って野菜室３００  の背面側に導かれており、その途中には、特定低温室２００  に対する冷気供給孔２０１  が開けられている。すなわち、専用ダクト４１〜４３は混合ダクトとして野菜室３００  と特定低温室２００  に兼用されている。特定低温室２００  の背壁（ダクトカバー５０）には背面ダクト部５１０  に連通する冷気戻し口２０２  が形成されている。
【０００５】
冷蔵室１００  と野菜室３００  とを仕切る中仕切壁３０４  の前面側には野菜室３００  内の冷気を冷蔵室１００  側に戻すための通気口３０５  が形成されている。すなわち、専用ダクト４０を介して野菜室３００  の背面側に供給された冷気は前面側に移動し、通気口３０５  から冷蔵室１００  内に至り、冷蔵室１００  の冷気戻し口１２０  から背面ダクト部５１０  に戻される。
【０００６】
しかしながら、上記構成の冷蔵庫の場合、冷蔵室１００  の背面に特定低温室２００  又は野菜室３００  専用のダクトを配置しているが、背面には熱交換器１、排水樋、背面ダクト部５１０  などが存在するため、特定低温室２００  および野菜室３００  を冷却するのに充分なダクト容積を確保することが困難であった。
【０００７】
【特許文献１】
特開２００２−１０７０３２号公報（第５〜７頁、第１〜３図）
【０００８】
【発明が解決しようとする課題】
本発明は上記問題点に鑑みなされたもので、冷蔵室の開閉扉の内側に、送風ファンからの冷気の一部を特定低温室などの貯蔵室に導く専用ダクトを設け、特定低温室および野菜室を効率よく冷却するのに充分なダクト容積を確保することができる冷蔵庫を提供することを目的としている。
【０００９】
【課題を解決するための手段】
本発明は上記の課題を解決するためなされたもので、外箱と内箱間に断熱材を充填してなる断熱箱体の内部を仕切体により複数の空間を多段に区画し、最上部の空間を冷蔵室に割り当て、下部の空間を野菜室や冷凍室などの他の貯蔵室に割り当て、各部屋にそれぞれ開閉扉を設け、前記冷蔵室の後方上部に冷却器を設けるとともに、同冷却器の前方に上部を開口した前面カバーを設けて前記冷却器を備えた冷気生成室を形成し、前記前面カバーに形成された冷気吸込口から、前記冷蔵室の冷気を前記冷気生成室に戻す冷気戻し通路を形成し、前記内箱の天井に、前方に冷気吹出口を有し前記天井との間に前記冷気生成室と連通する冷気供給通路を形成する天井カバーを被せるとともに、この天井カバーの取り付けにより形成される前記冷気供給通路の所定位置に、冷気強制循環用の送風ファンを設けてなる冷蔵庫において、
前記冷蔵室の開閉扉の内側に、前記送風ファンから送出される冷気の一部を、前記各貯蔵室に導く専用ダクトを少なくとも１つ以上設けてなる構成となっている。
【００１０】
また、前記冷蔵室の下部に特定低温室を設け、前記専用ダクトの冷気吹出口を、前記特定低温室の上部に臨ませてなる構成となっている。
【００１１】
また、前記専用ダクトを前記特定低温室専用としてなる構成となっている。
【００１２】
また、前記専用ダクトを前記特定低温室用と前記野菜室用とに兼用されてなる構成となっている。
【００１３】
また、前記専用ダクトの冷気吹出口からの冷気の一部を、前記特定低温室のケース内に送出し、その冷気を前記特定低温室背面の前記前面カバーに設けられた冷気戻し口より、前記冷気戻し通路に戻してなる構成となっている。
【００１４】
また、前記専用ダクトを前記冷蔵室の開閉扉の略中央に設けてなる構成となっている。
【００１５】
また、前記天井カバーの前記冷気供給通路を前記冷気吹出口に向け仕切り壁により左右に区画するとともに、前記専用ダクトを前記冷蔵室の開閉扉の左右いずれか一方に設けてなる構成となっている。
【００１６】
また、前記専用ダクトを前記冷蔵室の開閉扉の左右両側にそれぞれ設けてなる構成となっている。
【００１７】
また、前記送風ファンが複数のプロペラファンで構成されている。
【００１８】
また、前記左右両側に設けた専用ダクトのいずれか一方を前記特定低温室の専用ダクトとし、他方を前記野菜室の専用ダクトとしてなる構成となっている。
【００１９】
また、前記冷蔵室の下部に特定低温室を設け、前記専用ダクトの冷気吹出口を、前記特定低温室の下部に臨ませてなる構成となっている。
【００２０】
また、前記専用ダクトの冷気吹出口からの冷気の一部を、前記特定低温室のケースの下に送出し、その冷気を前記特定低温室背面の前記前面カバーに設けられた冷気戻し口より、前記冷気戻し通路に戻してなる構成となっている。
【００２１】
【発明の実施の形態】
以下、本発明の実施の形態を添付図面に基づいて詳細に説明する。
図１は本発明の一実施例による冷蔵庫の側断面図、図２は本発明による要部拡大図で、（Ａ）は天井側から見た上面図、（Ｂ）は冷蔵庫の開閉扉の内側から見た正面図、図３は冷蔵庫の開閉扉の内側の斜視図である。
図１〜３において、１は鋼板製の外箱２と、合成樹脂製の内箱３と、これら両箱間に充填された断熱材４とからなる断熱箱体（冷蔵庫本体）である。この断熱箱体１の内部、つまり、内箱３は上下二つの仕切体５、６によって上部の冷蔵室７と、中央の野菜室８と、下部の冷凍室９とに区画され、前記冷蔵室７にはチルド室などの特定低温室１０が設けられている。
【００２２】
前記冷蔵室７の前面開口部には扉内板１１ａ  に、玉子収納部１１ｂ  やビアガード１１ｃ  などの複数のドアポケットを備え、一側の上下が開閉自在に枢支された開閉扉１１が設けられ、前記野菜室８及び前記冷凍室９には収納容器を備えた引出し式開閉扉１２，１３  が設けられている。
【００２３】
前記冷蔵室７の後方上部には冷却器１４が設けられ、同冷却器１４の前方に、上部を開口し、同冷却器１４よりも低位置の正面に複数の冷気吸込口１５ａ、１５ｂ、１５ｃおよび１５ｄを開口した前面カバー１５を設けて前記冷却器１４を備えた冷気生成室１６を形成するとともに、前記冷蔵室７および特定低温室１０内の冷気を冷気生成室１６（冷却器１４）に戻す冷気戻し通路１７が形成されている。
【００２４】
また、前記内箱３の天井側には、前方に冷気吹出口１８を有し前記天井との間に冷気生成室１６と連通する冷気供給通路１９を形成するようにした天井カバー２０を被せるとともに、この天井カバー２０の取付けにより形成される冷気供給通路１９の入口側（冷却器１４の上部前方の左右方向）に冷気強制循環用のクロスフローファン若しくはプロペラファンからなる送風ファン２１を設けた構成になっている。
【００２５】
また、冷凍室９の後方には同冷凍室９専用の冷却器２２と冷気強制循環用の送風機２３を配置し、その前方に冷気吹出口等を有する前面カバー２４を設けた構成になっている。なお、符号２５は圧縮機である。
【００２６】
前記冷蔵室７の開閉扉１１の内板１１ａ  に、上部に前記冷気供給通路１９に臨ませた冷気吸入口２６ａ  を有し、前記開閉扉１１の下部に冷気吹出口２６ｂ  を備え、前記送風ファン２１から送出される冷気の一部を、前記特定低温室１０や野菜室８などの各貯蔵室に導く専用ダクト２６を少なくとも１つ以上設けた構成となっている。
【００２７】
図２及び図３に示すように、本発明の第一の実施例として、前記専用ダクト２６の冷気吹出口２６ｂ  を、前記特定低温室１０の上部に臨ませ、特定低温室１０の専用ダクトとし、前記専用ダクト２６を前記冷蔵室７の開閉扉１１の略中央に設けた構成となっている。
そして、前記専用ダクト２６の冷気吹出口２６ｂ  からの冷気の一部を、前記特定低温室１０のケース内に送出し、その冷気を前記特定低温室１０背面の前記前面カバー１５に設けられた冷気戻し口１５ｄ  より、前記冷気戻し通路１７に戻すようにしている。
【００２８】
また、前記専用ダクト２６を前記特定低温室１０用と前記野菜室８用とに兼用されてなる構成としてもよい。
兼用方法として、前記冷蔵室７と野菜室８とを区画する前記仕切体５の前記専用ダクト２６の冷気吹出口２６ｂ  近傍に吹出口５ａを設け、前記冷気吹出口２６ｂ  からの冷気の一部を前記特定低温室１０へ、他の冷気を前記吹出口５ａから野菜室８へ冷気を分散させて兼用とする。
【００２９】
また、前記専用ダクト２６は、樹脂成形などにより筒状に別体により形成するとともに、前記開閉扉１１の扉内板１１ａ  に凹部を設け、同凹部に対向する前記ドアポケットに、前記専用ダクト２６を挿通する挿通孔を設け、前記凹部と前記挿通孔との間に前記専用ダクト２６を嵌入して取り付ける。
【００３０】
上記構成において、前記送風ファン２１から送出される冷気は、冷気供給通路１９を通り大部分が冷気吹出口１８より冷蔵室７に供給され、冷蔵室７を循環して冷気吸込口１５ａ、１５ｂ、１５ｃから冷気戻し通路１７を経由して冷却器１４の下部に戻される。
一方、前記送風ファン２１からの冷気の一部は、前記専用ダクト２６の冷気吸入口２６ａ  から吸入され、冷気吹出口２６ｂ  から前記特定低温室１０のケース内に送出され、冷気戻し口１５ｄ  より、前記冷気戻し通路１７を経由して冷却器１４の下部に戻される。これにより、特定低温室１０を効率よく冷却するのに充分なダクト容積を確保することができ、冷蔵室７内の食品等の影響を受けずに冷却することが可能となる。
【００３１】
図４（Ａ），（Ｂ）は本発明における第二の実施例で、天井カバーの冷気供給通路を前記冷気吹出口１８に向け仕切り壁２０ａ  により左右に区画し、２つの冷気供給通路１９ａ，１９ｂ  を形成するとともに、前記専用ダクト２６を前記冷蔵室７の開閉扉１１の左右いずれか一方に設けてなる（図は開閉扉の内側から見て右側に設けたもの）構成となっている。
【００３２】
図４（Ｃ）は本発明における第三の実施例で、送風ファンを２つのプロペラファン２１ａ，２１ｂ  で構成したものである。これにより、専用ダクト２６の位置および容積などに応じて、ファンの大きさ（風量）を選択し、各貯蔵室へ適量の冷気を送出することができる。
また、後述する専用ダクト２６を複数設けた場合、ダクト数と同数の送風ファンを設けるようにしてもよい。この時もファンの大きさを適宜選択すればよい。
【００３３】
図５（Ａ），（Ｂ）は本発明における第四の実施例で、前記冷蔵室７の開閉扉１１の左右両側に、冷気吸入口２６ａ１と冷気吹出口２６ｂ１を備えた専用ダクト２６Ａ  と冷気吸入口２６ａ２と冷気吹出口２６ｂ２を備えた専用ダクト２６Ｂ  をそれぞれ設けた構成となっている。
これにより、前記専用ダクト２６Ａ，２６Ｂ  のいずれか一方を前記特定低温室１０の専用ダクトとし、他方を前記野菜室８の専用ダクトとして使用することが可能で、ダクトの容積を効率よく冷却できる大きさに適宜変えることができ、スペースの有効活用が図れる。
【００３４】
図６は本発明における第五の実施例で、前記専用ダクト２６の冷気吹出口２６ｂ  を、前記ドアポケットのビアガード１１ｃ  の下部に設け、前記特定低温室１０の下部に臨ませた構成となっている。
そして、前記専用ダクト２６の冷気吹出口２６ｂ  からの冷気の一部を、前記特定低温室１０のケースの下に送出し、その冷気を前記特定低温室１０の背面の前記前面カバー１５に設けられた冷気戻し口１５ｄ  より、前記冷気戻し通路１７に戻すようになされている。
【００３５】
図７は上記第五の実施例における専用ダクト２６の配置および数を表わしたもので、（Ａ）は専用ダクト２６を前記冷蔵室７の開閉扉１１の略中央に設けたもので、（Ｂ）は開閉扉１１の左右いずれか一方に設けたもので（図は開閉扉の内側から見て右側に設けたもの）、（Ｃ）は開閉扉１１の左右両側に、冷気吸入口２６ａ１と冷気吹出口２６ｂ１を備えた専用ダクト２６Ａ  と冷気吸入口２６ａ２と冷気吹出口２６ｂ２を備えた専用ダクト２６Ｂ  をそれぞれ設けたもので、（Ｄ）は（Ｃ）の冷気吹出口２６ｂ２を、野菜室８に設けるようにしたものである。
これにより、上記第一〜第四の実施例と同様に、各貯蔵室へ効率よく冷却するのに充分なダクト容積を確保することができ、冷蔵室７内の食品等の影響を受けずに冷却することが可能となる。
【００３６】
以上説明したように、前記冷蔵室７の開閉扉１１の内板１１ａ  に、上部に前記冷気供給通路１９に臨ませてた冷気吸入口２６ａ  を有し、前記開閉扉１１の下部に冷気吹出口２６ｂ  を備え、前記送風ファン２１から送出される冷気の一部を、前記特定低温室１０や野菜室８などの各貯蔵室に導く専用ダクト２６を少なくとも１つ以上設けた構成とすることにより、各貯蔵室へ効率よく冷却するのに充分なダクト容積を確保することができ、冷蔵室７内の食品等の影響を受けずに冷却することができる冷蔵庫となる。
【００３７】
【発明の効果】
以上のように本発明においては、冷蔵室の開閉扉の内側に、送風ファンからの冷気の一部を特定低温室などの貯蔵室に導く専用ダクトを設け、特定低温室および野菜室を効率よく冷却するのに充分なダクト容積を確保することができ、冷蔵室内の食品等の影響を受けずに冷却することができる冷蔵庫となる。
【図面の簡単な説明】
【図１】本発明の一実施例における冷蔵庫の概略構成を示す側断面図である。
【図２】本発明の一実施例における要部拡大図で、（Ａ）は天井側から見た上面図、（Ｂ）は冷蔵庫の開閉扉の内側から見た正面図である。
【図３】本発明の一実施例における冷蔵庫の開閉扉の内側の斜視図である。
【図４】（Ａ），（Ｂ）は本発明における第二の実施例で、（Ｃ）は第三の実施例である。
【図５】本発明における第四の実施例で、（Ａ）は天井側から見た上面図、（Ｂ）は冷蔵庫の開閉扉の内側から見た正面図である。
【図６】本発明の第五の実施例における冷蔵庫の概略構成を示す側断面図である。
【図７】本発明の第五の実施例における専用ダクトを示したもので、（Ａ）は専用ダクトを開閉扉の略中央に設けたもので、（Ｂ）は開閉扉の左右いずれか一方に設けたもので、（Ｃ）は開閉扉１１の左右両側に設けたもので、（Ｄ）は（Ｃ）の冷気吹出口を、野菜室に設けたものである。
【図８】従来例における冷蔵庫の内部を扉側から見た正面図である。
【図９】従来例の一実施例を模式的に示したもので、（ａ）は上面透視図、（ｂ）は内部を扉側から見た正面図である。
【図１０】従来例の一実施例を模式的に示した背面斜視図である。
【符号の説明】
１  断熱箱体（冷蔵庫本体）
５、６  仕切体
７  冷蔵室
８  野菜室
９  冷凍室
１０  特定低温室（チルド室）
１１，１２，１３  開閉扉
１４  冷却器
１５  前面カバー
１５ａ，  １５ｂ，  １５ｃ，  １５ｄ  冷気吸込口
１６  冷気生成室
１７  冷気戻し通路
１８  冷気吹出口
１９  冷気供給通路
２０  天井カバー
２０ａ    仕切壁
２１  送風ファン
２６  専用ダクト
２６ａ      冷気吸入口
２６ｂ      冷気吹出口
【図１】
2004278878.tif 000003
【図２】
2004278878.tif 000004
【図３】
2004278878.tif 000005
【図４】
2004278878.tif 000006
【図５】
2004278878.tif 000007
【図６】
2004278878.tif 000008
【図７】
2004278878.tif 000009
【図８】
2004278878.tif 000010
【図９】
2004278878.tif 000011
【図１０】
2004278878.tif 000012